(57)【特許請求の範囲】
【請求項１】
中継通信装置を介して移動機を広域ネットワークに接続する小型基地局装置であって、
装置本体と、
電力を発生する発電装置と、
商用電源の電力及び前記発電装置の電力の少なくとも一方の電力を前記装置本体と前記中継通信装置とに供給可能に構成された電源部と、
前記商用電源が遮断された場合に、前記発電装置の電力を、前記装置本体と前記中継通信装置とに供給させる電力供給制御部と、
を備え、
前記電力供給制御部は、前記商用電源が遮断された場合に、前記発電装置の電力を、前記装置本体よりも前記中継通信装置に先に供給させる、
小型基地局装置。
【請求項２】
前記中継通信装置は、第１の中継通信装置と第２の中継通信装置とを有し、
前記電力供給制御部は、前記発電装置の電力を、前記第２の中継通信装置よりも前記第１の中継通信装置に先に供給させる、
請求項１に記載の小型基地局装置。
【請求項３】
前記商用電源が遮断された場合に報知する報知部をさらに有する、
請求項１または２に記載の小型基地局装置。
【請求項４】
前記報知部の報知は、予め定められた宛先への電子メールの送信を含む、
請求項３に記載の小型基地局装置。
【請求項５】
移動機が接続する小型基地局装置とコアネットワークとの通信を中継する中継通信装置であって、
装置本体と、
電力を発生する発電装置と、
商用電源の電力及び前記発電装置の電力の少なくとも一方の電力を前記装置本体と前記小型基地局装置とに供給可能に構成された電源部と、
前記商用電源が遮断された場合に、前記発電装置の電力を、前記装置本体と前記中継通信装置とに供給させる電力供給制御部と、
を備え、
前記電力供給制御部は、前記商用電源が遮断された場合に、前記発電装置の電力を、前記装置本体よりも前記中継通信装置に先に供給させる、
中継通信装置。
【請求項６】
移動機が接続する小型基地局装置、及び、前記小型基地局装置と広域ネットワークとの通信を中継する中継通信装置への電力供給方法であって、
商用電源の電力及び発電装置の電力の少なくとも一方の電力を小型基地局装置と、前記中継通信装置と、に供給するステップと、
前記商用電源が遮断された場合に、前記発電装置の電力を、前記小型基地局装置よりも前記中継通信装置に先に供給するステップと、
を有する電力供給方法。
【発明の詳細な説明】
【技術分野】
【０００１】
本発明は、小型基地局装置、中継通信装置、及び電力供給方法に関する。
【背景技術】
【０００２】
近年、携帯電話等の移動機の通信エリアを広げるため、家屋や建物の内部に、インターネット回線を介して移動機を移動体通信網に接続させる小型基地局装置（フェムトセル基地局装置等）の設置が進んでいる。この小型基地局装置には、一般的に、同じ屋内にある商用電源から電力が供給されている。
【０００３】
電力供給に関して、例えば特許文献１には、衛星回線に接続する屋外用の基地局装置に対して、商用電源から電力を供給する代わりに、太陽電池から電力を供給する技術が開示されている。
【先行技術文献】
【特許文献】
【０００４】
【特許文献１】特開平１０−３３６０９４号公報
【発明の概要】
【発明が解決しようとする課題】
【０００５】
特許文献１記載の技術では、衛星回線に接続させるために移動機の通信に必要とされる装置は、屋外用の基地局装置のみである。したがって、特許文献１記載の技術では、通常時だけでなく災害等で商用電源の電力が遮断された非常時においても、太陽電池の電力により、通信が確保できる。
【０００６】
しかしながら、小型基地局装置を用いる場合、インターネット回線に接続するために移動機の通信に必要とされる装置は、小型基地局装置の他にも、小型基地局装置の中継通信装置（モデム、ルータ等のネットワーク関連機器）がある。このため、仮に、小型基地局装置に対して、特許文献１記載のように太陽電池の電力が供給されていたとしても、商用電源の電力が遮断される非常時においては、中継通信装置に電力が供給されず、小型基地局装置の通信が遮断されてしまう。
【０００７】
本発明はこのような事情に鑑みてなされたものであり、商用電源が遮断された場合であっても小型基地局装置の通信遮断を抑制することを目的の一つとする。
【課題を解決するための手段】
【０００８】
本発明に係る小型基地局装置は、装置本体と、電力を発生する発電装置と、商用電源の電力及び前記発電装置の電力の少なくとも一方の電力を前記装置本体と前記小型基地局装置の中継通信装置とに供給可能に構成された電源部と、前記商用電源が遮断された場合に、前記発電装置の電力を、前記装置本体と前記中継通信装置とに供給させる電力供給制御部と、を備え、前記電力供給制御部は、前記商用電源が遮断された場合に、前記発電装置の電力を、前記装置本体よりも前記中継通信装置に先に供給させる。
【００１１】
本発明に係る小型基地局装置では、前記中継通信装置は、第１の中継通信装置と第２の中継通信装置とを有し、前記電力供給制御部は、前記発電装置の電力を、前記第２の中継通信装置よりも前記第１の中継通信装置に先に供給させる、ことが好ましい。
【００１２】
本発明に係る小型基地局装置は、前記商用電源が遮断された場合に報知する報知部をさらに有する、ことが好ましい。
【００１３】
本発明に係る小型基地局装置では、前記報知部の報知は、予め定められた宛先への電子メールの送信を含む、ことが好ましい。
【００１４】
本発明に係る中継通信装置は、小型基地局装置の中継通信装置であって、装置本体と、電力を発生する発電装置と、商用電源の電力及び前記発電装置の電力の少なくとも一方の電力を前記装置本体と前記小型基地局装置に供給可能に構成された電源部と、前記商用電源が遮断された場合に、前記発電装置の電力を、前記装置本体と前記中継通信装置とに供給させる電力供給制御部と、を備え、前記電力供給制御部は、前記商用電源が遮断された場合に、前記発電装置の電力を、前記装置本体よりも前記中継通信装置に先に供給させる。
【００１５】
本発明に係る電力供給方法は、小型基地局装置と前記小型基地局装置の中継通信装置への電力供給方法であって、商用電源の電力及び発電装置の電力の少なくとも一方の電力を小型基地局装置と前記中継通信装置とに供給するステップと、商用電源が遮断された場合に、前記発電装置の電力を、前記小型基地局装置よりも前記中継通信装置に先に供給するステップと、を有する。
【発明の効果】
【００１６】
本発明によれば、商用電源が遮断された場合であっても小型基地局装置の通信遮断を抑制することができる。
【図面の簡単な説明】
【００１７】
【図１】本発明の第１実施形態に係るフェムトセル基地局装置を含む移動通信システムＳ１の構成を示す概略ブロック図である。
【図２】電源部内部の回路の一例を示した概略回路図である。
【図３】本発明の第１実施形態に係る電力供給制御部のサブルーチンのフローチャートを示す図である。
【図４】本発明の第１実施形態に係る電力供給制御部のメインルーチンのフローチャートを示す図である。
【図５】本発明の第２実施形態に係るフェムトセル基地局装置を含む移動通信システムＳ２の構成を示す概略ブロック図である。
【図６】（Ａ）は、電源切替えスイッチ内部の回路の一例を示した概略回路図である。（Ｂ）は、電源部内部の回路の一例を示した概略回路図である。
【図７】本発明の第２実施形態に係る電力供給制御部のメインルーチンのフローチャートを示す図である。
【図８】本発明の第３実施形態に係るブロードバンドルータを含む移動通信システムＳ３の構成を示す概略ブロック図である。
【図９】本発明の第３実施形態に係る電力供給制御部のメインルーチンのフローチャートを示す図である。
【発明を実施するための形態】
【００１８】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１９】
（第１実施形態）
本発明の第１実施形態では、インターネット回線を介して移動機を移動体通信網に接続する小型基地局装置として、フェムトセル基地局装置を一例に挙げ、このフェムトセル基地局装置に発電装置および電源部を設けた場合について説明する。
【００２０】
＜全体構成＞
図１は、本発明の第１実施形態に係る小型基地局装置の一例としてのフェムトセル基地局装置１０を含む移動通信システムＳ１の構成を示す概略ブロック図である。移動通信システムＳ１は、フェムトセル基地局装置１０を含む屋内装置１２と、インターネット回線ＩＮと、制御局Ｃと、コアネットワークＣＮと、無線ネットワーク制御局ＲＣと、複数の基地局Ｂ１，Ｂ２と、を備える。
【００２１】
フェムトセル基地局装置１０は、家庭、オフィス又は地下等の屋内１４に設置され、携帯電話や携帯用パーソナルコンピュータ等の移動機１６Ａ用に、例えば半径数十メートル程度の通信エリア（フェムトセル）を形成する基地局として機能する。フェムトセル基地局装置１０は、フェムトセルの範囲内に位置する移動機１６Ａからの音声やデータを、他の屋内装置１２（中継通信装置１２Ａ）を介して、インターネット回線ＩＮやインターネット回線ＩＮを介したコアネットワークＣＮに接続し、移動機１６Ａに各種通信サービスを提供する。
【００２２】
屋内装置１２には、フェムトセル基地局装置１０の他、フェムトセル基地局装置１０をインターネット回線ＩＮに接続させる中継通信装置１２Ａとしてのブロードバンドルータ１６やモデム１８がある。
【００２３】
屋内装置１２のうちフェムトセル基地局装置１０は、通信用として、例えばローカルエリアネットワーク２２Ａを介してブロードバンドルータ１６に接続され、電力供給用として、例えば電源ケーブル２０Ａを介して商用電源Ｖ１に接続されている。屋内装置１２のうちブロードバンドルータ１６は、通信用として、例えばローカルエリアネットワーク２２Ｂを介してモデム１８に接続され、電力供給用として、例えば電源ケーブル２０Ｂを介して商用電源Ｖ１に接続されている。屋内装置１２のうちモデム１８は、通信用として、例えば非対称デジタル加入者線、光ファイバ又は同軸ケーブル等のブロードバンド回線２２を介してインターネット回線ＩＮに接続され、電力供給用として、例えば電源ケーブル２０Ｃを介して商用電源Ｖ１に接続されている。なお、図１中では、電力の流れを太線矢印で示し、信号線を細線矢印で示している。電源ケーブル２０Ａ、２０Ｂ、および２０Ｃは、接続構造、例えばプラグ（図示せず）を有し、商用電源Ｖ１の差し込み口（図示せず）に差し込まれることで電気的に接続されるようになっている。
【００２４】
インターネット回線ＩＮは、ＴＣＰ／ＩＰプロトコルに準拠したネットワークである。制御局Ｃは、インターネット回線ＩＮを介してフェムトセル基地局装置１０を介して移動機１６Ａの接続制御などを行う。また、制御局Ｃは、ゲートウェイＧＷを介して移動体通信網を含むコアネットワークＣＮに接続する。ゲートウェイＧＷは、制御局Ｃを介するインターネット回線ＩＮからのアクセス制限などを行う。
【００２５】
無線ネットワーク制御局ＲＣは、コアネットワークＣＮに接続するとともに、例えば図中の基地局Ｂ１，Ｂ２等の複数の基地局にそれぞれ接続する。無線ネットワーク制御局ＲＣは、複数の基地局を介する通信を制御しており、移動機１６Ｂの発着信や回線接続、位置登録やハンドオーバーの制御などを行う。
【００２６】
＜詳細構成＞
次に、本第１実施形態に係るフェムトセル基地局装置１０の詳細構成について説明する。
【００２７】
フェムトセル基地局装置１０は、装置本体２４を有する。この装置本体２４は、例えば無線通信部２６、アンテナ２８、本体制御部３０、通信ポート３２、ネットワーク制御部３４、報知部３６等で構成されている。
【００２８】
無線通信部２６は、アンテナ２８を介して移動機１６Ａと無線通信する。この無線通信部２６は、所定の通信方式（例えば、ＬＴＥ方式、Ｗ−ＣＤＭＡ方式）で無線通信を行うための高周波回路やベースバンド回路を含む回路基板から構成されている。
【００２９】
本体制御部３０は、例えば無線通信部２６やネットワーク制御部３４、報知部３６と接続されており、移動機１６ＢとコアネットワークＣＮとの通信処理を含む各部の種々な制御処理を行う。この本体制御部３０は、例えばプロセッサ及び記憶資源等を含む回路基板から構成されている。
【００３０】
通信ポート３２は、ローカルエリアネットワーク２２Ａが接続される。この通信ポート３２は、例えば、ＬＡＮポートである。
【００３１】
ネットワーク制御部３４は、通信ポート３２を介してネットワーク処理を行う。このネットワーク制御部３４は、例えば、ＴＣＰ／ＩＰプロトコルに準拠したネットワークインタフェース回路等によって構成されている。
【００３２】
報知部３６は、本実施形態では例えばアラーム音を発するスピーカ、スピーカにアラーム音を発生させるアンプ等で構成されている。
【００３３】
また、フェムトセル基地局装置１０は、装置本体２４の他に、電力供給制御部３８と、太陽電池Ｖ２と、電源部４０と、を有する。
【００３４】
電力供給制御部３８は、本体制御部３０と電源部４０とに接続され、これら本体制御部３０と電源部４０との種々な制御処理を行う。本第１実施形態では、商用電源Ｖ１が遮断される非常時に、電源部４０（太陽電池Ｖ２）の電力を、装置本体２４と各中継通信装置１２Ａに供給させる。この電力供給制御部３８は、例えばプログラムが記録された記憶資源とプロセッサ等を含む回路基板とから構成されており、太陽電池Ｖ２から電力が供給され、商用電源Ｖ１が遮断された非常時においても動作可能になっている。なお、電力供給制御部３８の制御の詳細に関しては、後述する。また、以下の実施形態では、フェムトセル基地局装置１０が報知部３６を備え、電源供給制御部３８がフェムトセル基地局装置１０の報知部３６にアラーム音を発生させるように制御するものとして説明するが、これに限られない。例えば、電源供給制御部３８が報知部３６を備え、当該報知部３６にアラーム音を発生させるものとしてもよい。
【００３５】
太陽電池Ｖ２は、光から電力を発生するものであり、フェムトセル基地局装置１０の外壁に設けられ又はフェムトセル基地局装置１０の外部に設けられてフェムトセル基地局装置１０に接続される。太陽電池Ｖ２は、本発明の発電装置の一例であり、太陽電池に代えて、または、太陽電池とともに、手動式の発電機や蓄電池等、商用電源以外の電力源を用いてもよい。
【００３６】
電源部４０は、商用電源Ｖ１の電力及び太陽電池Ｖ２の電力の少なくとも一方の電力を、内部電源ケーブル４１を介して装置本体２４に供給し、且つ太陽電池Ｖ２の電力を他の屋内装置１２にも供給可能に構成されている。具体的に、本第１実施形態では、電源部４０の外部（外壁）には、電源オン／オフスイッチ４２と、第１電源入力端子４４と、第２電源入力端子４６と、第１電源出力端子４８と、第２電源出力端子５０と、を含んで構成されている。
【００３７】
電源オン／オフスイッチ４２は、手動で電源のオンとオフ、すなわち装置本体２４への電力供給のオンとオフを切替えることができる。
【００３８】
第１電源入力端子４４は、電源ケーブル２０Ａとこの電源ケーブル２０Ａの途中にあるＡＣ／ＤＣアダプタ２１Ａを介して商用電源Ｖ１と接続されている。第２電源入力端子４６は、電源ケーブル５２を介して太陽電池Ｖ２と接続されている。
【００３９】
第１電源出力端子４８は、電源ケーブル２０Ｃとこの電源ケーブル２０Ｃの途中にあるＡＣ／ＤＣアダプタ２１Ｃを介して商用電源Ｖ１と接続されている。また、第１電源出力端子４８は、商用電源Ｖ１と接続された電源ケーブル２０Ｃの電源プラグを、商用電源Ｖ１の代わりに接続可能に構成されている。本第１実施形態では、商用電源が遮断される非常時に、手動により、例えば移動機１６Ａのユーザが、電源ケーブル２０Ｃの電源プラグの接続を商用電源Ｖ１から第１電源出力端子４８に変更して、この電源ケーブル２０Ｃを介してモデム１８と第１電源出力端子４８とを接続する。ここで、ユーザとは移動機１６Ａの使用者である。以下、同様である。
【００４０】
第２電源出力端子５０は、電源ケーブル２０Ｂとこの電源ケーブル２０Ｂの途中にあるＡＣ／ＤＣアダプタ２１Ｂを介して商用電源Ｖ１と接続されている。また、第２電源出力端子５０は、商用電源Ｖ１と接続された電源ケーブル２０Ｂの電源プラグを、商用電源Ｖ１の代わりに接続可能に構成されている。本第１実施形態では、商用電源が遮断される非常時に、手動により、例えば移動機１６Ａのユーザが、電源ケーブル２０Ｂの電源プラグの接続を商用電源Ｖ１から第２電源出力端子５０に変更して、この電源ケーブル２０Ｂを介してブロードバンドルータ１６と第２電源出力端子５０とを接続する。
【００４１】
また、電源部４０の内部には、電源オン／オフスイッチ４２や各端子４４，４６，４８，５０と接続する回路６０（図２参照）が設けられている。
【００４２】
図２は、電源部４０内部の回路６０の一例を示した概略回路図である。
【００４３】
図２に示すように、電源部４０内部の回路６０では、装置本体２４と、第１電源入力端子４４と、第２電源入力端子４６と、第１電源出力端子４８、第２電源出力端子５０と、が後述する各種スイッチにより互いに接続される。
【００４４】
回路６０には、第１電源入力端子４４に接続された端子ａ１と、第２電源入力端子４６に接続された端子ｃ１と、装置本体２４に接続された端子ｂ１が形成された制御スイッチ６２が設けられている。この制御スイッチ６２は、電力供給制御部３８からの制御信号ＣＴＲＬ１を受け付けて、装置本体２４（端子ｂ１）との接続を、第１電源入力端子４４（端子ａ１）か第２電源入力端子４６（端子ｃ１）かのいずれかに切替えるスイッチ動作を行う。これにより、装置本体２４に供給する電力が、第１電源入力端子４４に接続された商用電源Ｖ１からの電力か、第２電源入力端子４６に接続された太陽電池Ｖ２からの電力かに切替えられる。
【００４５】
第１電源入力端子４４と制御スイッチ６２の間には、電流検出センサ６１が設けられている。電流検出センサ６１は、電力供給制御部３８からの制御信号ＣＴＲＬ２を受け付けて、第１電源入力端子４４と制御スイッチ６２の間に電流が流れていないか否か、言い換えれば、商用電源Ｖ１からの電力が電源部４０に供給されているか否かを検出し、その検出結果を電力供給制御部３８に返す。なお、電流検出センサ６１に代えて、電圧検出センサを設け、第１電源入力端子４４に規定どおりの電圧が供給されているか否かを検出し、その検出結果を電力供給制御部３８に返すように構成してもよい。
【００４６】
第２電源入力端子４６と制御スイッチ６２との間には、蓄電池６３Ａが接続されている。蓄電池６３Ａは、太陽電池Ｖ２の発電した電力を充電可能になっており、商用電源Ｖ１が供給される通常時にはフル充電状態に維持されるようになっている。そして蓄電池６３Ａは、商用電源Ｖ１が遮断される非常時に、制御スイッチ６２が切り替えられることにより、蓄電池６３Ａに充電された電力が供給されるようになっている。非常時であっても、太陽電池Ｖ２が発電している間は、発電電力は継続的に蓄電池６３Ａに充電されるようになっている。なお、第２電源入力端子４６と蓄電池６３Ａとの間には、逆流防止ダイオードが直列に接続されており、太陽電池Ｖ２が発電していない場合に蓄電池６３Ａから太陽電池Ｖ２へ電流が逆流することを防止可能になっている。
【００４７】
制御スイッチ６２と装置本体２４との間には、上述した電源オン／オフスイッチ４２が設けられている。電源オン／オフスイッチ４２は、制御スイッチ６２の端子ｂ１に接続された端子ａ２と、装置本体２４に接続された端子ｂ２と、他と非接続の端子ｃ２とを有している。この電源オン／オフスイッチ４２は、ユーザの手動によりスイッチのオン（端子ａ２とｂ２の接続）とオフ（端子ａ２とｃ２の接続）が切替わり、装置本体２４に制御スイッチ６２を接続するか否かが切替えられる。また、電源オン／オフスイッチ４２は、電力供給制御部３８からの制御信号ＣＴＲＬ０を受け付けることによっても、スイッチのオンとオフが切替わり、装置本体２４に制御スイッチ６２を接続するか否かが切替えられる。これにより、装置本体２４に電力を供給するか否かが切替えられる。
【００４８】
電源オン／オフスイッチ４２と制御スイッチ６２との間には、分岐点６４が設けられている。この分岐点６４には、第１電源出力端子４８と第２電源出力端子５０とが接続されている。また、分岐点６４には、大容量コンデンサＣ、ツェナーダイオードＺＤおよび抵抗器Ｒ１、並びに発光ダイオードＬＥＤおよび抵抗器Ｒ２が制御スイッチ６２と並列に接続されている。大容量コンデンサＣは、制御スイッチの切り替え処理時に生じうる瞬間的な給電停止を防止するための蓄電手段である。ツェナーダイオードＺＤおよび抵抗器Ｒ１は、各端子に規定の電圧以上の電圧が供給されることを防止する手段である。発光ダイオードＬＥＤおよび抵抗器Ｒ２は、分岐点６４に制御スイッチ６２から電力が供給されていることを視覚的に報知するための手段である。また分岐点６４は、電源供給制御部３８に電気的に直接接続されている。これにより、分岐点６４からは電源供給制御部３８に電力が常時供給されることになり、非常時に商用電源Ｖ１が遮断された時であっても、電源供給制御部３８が本願発明の電源切り替え処理を実行し、太陽電池Ｖ２へ電源を確実に切り替えることが可能となる。
【００４９】
分岐点６４と第１電源出力端子４８との間には、制御スイッチ６６が設けられている。制御スイッチ６６は、分岐点６４に接続された端子ｂ３と、第１電源出力端子４８に接続された端子ａ３、他と非接続の端子ｃ３とを有している。この制御スイッチ６６は、電力供給制御部３８からの制御信号ＣＴＲＬ３を受け付けて、スイッチのオン（端子ａ３とｂ３の接続）とオフ（端子ａ３とｃ３の接続）が切り替わり、第１電源出力端子４８に分岐点６４を接続するか否かが切替えられる。これにより、第１電源出力端子４８に接続されるモデム１８に、太陽電池Ｖ２の電力を供給するか否かが切替えられる。
【００５０】
また、分岐点６４と第２電源出力端子５０との間には、制御スイッチ６８が設けられている。制御スイッチ６８は、分岐点６４に接続された端子ｂ４と、第２電源出力端子５０に接続された端子ａ４、他と非接続の端子ｃ４とを有している。この制御スイッチ６８は、電力供給制御部３８からの制御信号ＣＴＲＬ４を受け付けて、スイッチのオン（端子ａ４とｂ４の接続）とオフ（端子ｂ４とｃ４の接続）が切替わり、第２電源出力端子５０に分岐点６４を接続するか否かが切替えられる。これにより、第２電源出力端子５０に接続されるブロードバンドルータ１６に、太陽電池Ｖ２の電力を供給するか否かが切替えられる。
【００５１】
第１電源出力端子４８や第２電源出力端子５０の付近には、近接センサ７０，７２が設けられている。近接センサ７０は、電力供給制御部３８からの制御信号ＣＴＲＬ５を受け付けて、第１電源出力端子４８に電源ケーブル２０Ｃの電源プラグが接続されているか否かを検出し、その検出結果を電力供給制御部３８に返す。近接センサ７２は、電力供給制御部３８からの制御信号ＣＴＲＬ６を受け付けて、第２電源出力端子５０に電源ケーブル２０Ｂの電源プラグが接続されているか否かを検出し、その検出結果を電力供給制御部３８に返す。なお、近接センサ７０や近接センサ７２を使用して電源ケーブル２０Ｃや電源ケーブル２０Ｂを検出する他に、公知の接続確認方法を用いることも可能である。例えば、第１電源出力端子４８に電源ケーブル２０Ｃが差し込まれていること、および、第２電源出力端子５０に電源ケーブル２０Ｂが差し込まれていること、を電気的・機械的・光学的に検出するセンサを設け、電力供給制御部３８が、それぞれのセンサからの検出信号に基づいて電源ケーブルが接続されているか否かを判定するように構成してもよい。
【００５２】
ただし、近接センサ７０，７２では、検出した電源プラグが電源ケーブル２０Ｂのものか電源ケーブル２０Ｃのものかまでは把握できないので、例えば移動機１６Ａのユーザに、電源ケーブル２０Ｃを第１電源出力端子４８に、電源ケーブル２０Ｂを第２電源出力端子５０に間違わずに接続するように、電源ケーブル２０Ｂ、電源ケーブル２０Ｃ及び電源部４０の外壁の少なくとも一方に注意書き等を記すことが好ましい。
【００５３】
また、本第１実施形態に係る電源部４０では、商用電源Ｖ１が供給される通常時には、電源オン／オフスイッチ４２がスイッチオン（端子ａ２と端子ｂ２が接続）され、制御スイッチ６６，６８がスイッチオフ（端子ａ３と端子ｃ３が接続、端子ａ４と端子ｃ４が接続）され、制御スイッチ６２において装置本体２４に接続するのが第１電源入力端子４４にされている（端子ａ１と端子ｂ１が接続）。これにより、通常時では、商用電源Ｖ１からの電力が、装置本体２４に供給されるようになっている。なお、図２中では、通常時の各スイッチの端子接続状態を実線で示し、非常時の各スイッチの端子接続状態を点線で示している。
【００５４】
以降、商用電源Ｖ１が供給される通常時には、モデム１８の電源ケーブル２０Ｃ、および、ブロードバンドルータ１６の電源ケーブル２０Ｂが、ともに商用電源Ｖ１に接続され、商用電源Ｖ１が遮断される非常時に、ユーザが、電源ケーブル２０Ｃを第１電源出力端子４８に、電源ケーブル２０Ｂを第２電源出力端子５０に、それぞれ接続することを前提として説明する。
【００５５】
＜制御処理内容＞
次に、本第１実施形態に係る電力供給制御部３８の制御処理内容について説明する。図３は、電力供給制御部３８のサブルーチンのフローチャートを示す図である。図４は、電力供給制御部３８のメインルーチンのフローチャートを示す図である。なお、以下、括弧中の識別符号は、図４中のステップ識別符号と対応している。なお、この制御処理は、ソフトウェアによる処理として、実行プログラムをプロセッサで実行することにより行われてもよいし、ハードウェアによる処理として、上記ソフトウェア処理に代わる動作をする論理回路により行われてもよい。また、以下のメインルーチンは、例えば１秒毎に開始される。ただし、前の制御が終わっていない場合は、その制御が終わるまで待機する。
【００５６】
まず、割り込み処理として実行される図３のサブルーチンの処理について説明する。電力供給制御部３８は、電流検出センサ６１から商用電源Ｖ１が遮断された旨を示す検出信号を受信すると、以下のメインルーチン（ＳＰ１０〜ＳＰ２６）における処理を中断し、図３に示す割り込み処理にジャンプ（ステップＳＰ２）してステップＳＰ４の電源切り替え処理を実行する。ステップＳＰ４において、電力供給制御部３８は、電力供給制御部３８は、制御スイッチ６２に制御信号ＣＴＲＬ１を出力して、商用電源Ｖ１側に投入されていた制御スイッチ６２を太陽電池Ｖ２に切り替える。この切り替え処理によって、分岐点６４を経由して電力供給制御部３８に供給される電力が商用電源Ｖ１から太陽電池Ｖ２及び蓄電池６３Ａからの電力に切り替えられる。分岐点６４には大容量コンデンサＣが設けられているので、制御スイッチ６２の切り替え時に瞬間的に電源供給が停止しても、電力供給部３８の動作は継続される。そして、ステップＳＰ６で復帰し、メインルーチンの処理が継続される。また、電力供給制御部３８は、商用電源が停止していることを示すフラグを立てる（共用の記憶部の所定のデータをセットする）。
【００５７】
次に、メインルーチンの処理について説明する。
【００５８】
（ＳＰ１０）電力供給制御部３８は、商用電源停止を示すフラグが立っているか否かを判断して、商用電源Ｖ１からの電力が電源部４０に供給されていないか否かを判断する。そして、電力供給制御部３８は、商用電源Ｖ１からの電力が供給されていないと判断した場合（Ｙｅｓ）にはステップＳＰ１２に移行し、商用電源Ｖ１からの電力が供給されていると判断した場合（Ｎｏ）にはステップＳＰ２６に移行する。なお、以上のようなサブルーチンを経ず商用電源停止を示すフラグを立てない場合には、例えば電流検出センサ６１に対して、制御信号ＣＴＲＬ２を出力し、商用電源Ｖ１からの電力が電源部４０に供給されていないか否かを検出させてもよい。
【００５９】
（ＳＰ１２）電力供給制御部３８は、本体制御部３０に対し、報知部３６にアラーム音を発するよう制御させる。このアラーム音を聞いた者、例えば移動機１６Ａのユーザは、商用電源Ｖ１が遮断されたことを知る。そしてこの商用電源Ｖ１の遮断が、屋内ブレーカーの切断等の局所的な事由ではなかったり、短時間に電源供給が復旧することが明らかな事由ではなかったりした場合には、移動機１６Ａを使用するユーザは、太陽電池の電力による通信継続のための措置をとる。すなわち、ユーザは、モデム１８の電源ケーブル２０Ｃの接続を商用電源Ｖ１から第１電源出力端子４８に、ブロードバンドルータ１６の電源ケーブル２０Ｂの接続を商用電源Ｖ１から第２電源出力端子５０に変更する。そして、電力供給制御部３８は、ステップＳＰ１４の処理に移行する。
【００６０】
（ＳＰ１４）電力供給制御部３８は、アラーム音を発してから例えば一分間経過したか否か判断する。電力供給制御部３８は、肯定判断した場合（Ｙｅｓ）には一連の処理を終え、否定判断した場合（Ｎｏ）にはステップＳＰ１６の処理に移行する。
【００６１】
（ＳＰ１６）電力供給制御部３８は、近接センサ７０に対して、制御信号ＣＴＲＬ５を出力し、第１電源出力端子４８に電源ケーブル２０Ｃの電源プラグが接続されているか否かを検出させる。また、電力供給制御部３８は、近接センサ７２に対して、制御信号ＣＴＲＬ６を出力し、第２電源出力端子５０に電源ケーブル２０Ｂの電源プラグが接続されているか否かを検出させる。電力供給制御部３８は、近接センサ７０，７２の検出結果が、どちらも電源プラグが接続されていることを示すか否か判断する。そして、電力供給制御部３８は、肯定判断した場合（Ｙｅｓ）にはステップＳＰ１８の処理に移行し、否定判断した場合（Ｎｏ）にはステップＳＰ１２の処理に戻る。
【００６２】
（ＳＰ１８）電力供給制御部３８は、電源オン／オフスイッチ４２に対して制御信号ＣＴＲＬ０を出力し、一旦スイッチオフさせる。この処理により、装置本体２４への電源供給が絶たれ、装置本体２４の動作は一旦中断される。ただし、装置本体２４が動作を初期状態からやり直すリセット信号を受け付け可能に構成されている場合には、電源オン／オフスイッチ４２をスイッチオフさせて装置本体２４への電源供給を一旦遮断させ後述するステップＳＰ２４において電源供給を再開させる代わりに、ステップＳ２４においてリセット信号を供給して装置本体２４の動作を初期化させるように処理してもよい。
【００６３】
また、電力供給制御部３８は、制御スイッチ６６に対して制御信号ＣＴＲＬ３を出力し、スイッチオンさせる。さらに、電力供給制御部３８は、制御スイッチ６２に対して制御信号ＣＴＲＬ１を出力し、分岐点６４と第２電源入力端子４６とを接続させる。これにより、電力供給制御部３８は、電源部４０に対して、装置本体２４やブロードバンドルータ１６よりも先に、インターネット回線ＩＮ側最上流のモデム１８に太陽電池Ｖ２の電力を供給させることになる。太陽電池Ｖ２の電力が供給されることにより、モデム１８は初期状態からの動作を開始し、下流側のブロードバンドルータ１６との通信に備えるようになる。そして、電力供給制御部３８は、ステップＳＰ２０の処理に移行する。
【００６４】
（ＳＰ２０）電力供給制御部３８は、制御スイッチ６８に対して制御信号ＣＴＲＬ４を出力し、スイッチオンさせる。これにより、電力供給制御部３８は、電源部４０に対して、装置本体２４よりも先に、インターネット回線ＩＮ側上流のブロードバンドルータ１６に太陽電池Ｖ２の電力を供給させることになる。太陽電池Ｖ２の電力が供給されることにより、ブロードバンドルータ１６は初期状態からの動作を開始し、既に動作しているモデム１８との通信を確立し、且つインターネット回線ＩＮとの接続を確立して、下流側の装置本体２４との通信に備えるようになる。そして、電力供給制御部３８は、ステップＳＰ２２の処理に移行する。
【００６５】
（ＳＰ２２）電力供給制御部３８は、ブロードバンドルータ１６に電力を供給してから、ブロードバンドルータ１６がインターネット回線ＩＮへの接続を確立するのに十分と考えられる平均的な待機時間、例えば一分間経過したか否か判断する。電力供給制御部３８は、肯定判断した場合（Ｙｅｓ）にはステップＳＰ２４の処理に移行する。また、電力供給制御部３８は、否定判断した場合（Ｎｏ）にはステップＳＰ２２の処理に戻る。すなわち、このステップＳＰ２２では、電力供給制御部３８は、ブロードバンドルータ１６に電力を供給してからインターネット回線ＩＮへの接続を確立するまでの平均時間待機することになる。
【００６６】
（ＳＰ２４）電力供給制御部３８は、電源オン／オフスイッチ４２に対して制御信号ＣＴＲＬ０を出力し、スイッチオンさせる。これにより、電力供給制御部３８は、電源部４０に対して、装置本体２４に太陽電池Ｖ２の電力を供給させることになる。太陽電池Ｖ２の電力が供給されることにより、装置本体２４の本体制御部３０は初期状態からの通信処理を開始する。そして、電力供給制御部３８は、一連の処理を終える。なお、装置本体２４がリセット信号を受け付け可能に構成されている場合には、太陽電池Ｖ２の電力供給を再開する代わりに、リセット信号を送信し、装置本体２４の動作を初期化させるように処理してもよい。
【００６７】
（ＳＰ２６）電力供給制御部３８は、制御スイッチ６６に対して制御信号ＣＴＲＬ３を出力し、スイッチオフさせる（スイッチオフしている状態であれば維持する）。また、電力供給制御部３８は、制御スイッチ６８に対して制御信号ＣＴＲＬ４を出力し、スイッチオフさせる（スイッチオフしている状態であれば維持する）。さらに、電力供給制御部３８は、制御スイッチ６２に対して制御信号ＣＴＲＬ１を出力し、装置本体２４に接続するのを第１電源入力端子４４にさせる（スイッチオフしている状態であれば維持する）。そして、電力供給制御部３８は、商用電源遮断フラグをリセットし、一連の処理を終える。これにより、電力供給制御部３８は、電源部４０に対して、装置本体２４に商用電源Ｖ１の電力を供給させることになる。
【００６８】
＜効果＞
以上、本発明の第１実施形態に係るフェムトセル基地局装置１０によれば、電源部４０が太陽電池Ｖ２の電力を装置本体２４と他の屋内装置１２、すなわち各中継通信装置１２Ａに供給可能に構成されている。これにより、商用電源Ｖ１が遮断される非常時に、電源部４０の電力（太陽電池Ｖ２）を、装置本体２４に供給することができる。
また、ユーザによりモデム１８やブロードバンドルータ１６等の各中継通信装置１２の電源ケーブルの接続が変更された場合には、各中継通信装置１２の電源ケーブルの接続を検出して各中継通信装置１２Ａに電源を供給するので、フェムトセル基地局装置１０だけでなく各中継通信装置１２Ａも稼動させて、フェムトセル基地局装置１０における通信遮断を抑制することができる。
【００６９】
また、商用電源の遮断が解除されて通常時に復帰した場合においては、装置本体２４への商用電源Ｖ１の電力供給を再開させることができる。これにより、太陽電池Ｖ２の電力よりも安定な商用電源Ｖ１の電力でフェムトセル基地局装置１０を稼動させることができ、通常時においてフェムトセル基地局装置１０の通信遮断を抑制することができる。
【００７０】
また、フェムトセル基地局装置１０は、非常時において電源部４０に対し、電源部４０の電力（太陽電池Ｖ２）を、装置本体２４と各中継通信装置１２Ａに供給させる電力供給制御部３８を有している。これにより、装置本体２４に供給する電力を商用電源Ｖ１の電力から太陽電池Ｖ２の電力に自動で切替えることができる。以上より、フェムトセル基地局装置１０における通信遮断を抑制するための手間が省かれる。
【００７１】
また、電力供給制御部３８は、非常時に太陽電池Ｖ２の電力を、電源部４０に対し、装置本体２４よりもインターネット回線ＩＮ側上流の中継通信装置１２Ａ（モデム１８及びブロードバンドルータ１６）に先に供給させている。ここで、上記電力供給の順番を逆にすると、中継通信装置１２Ａが稼動しておらずインターネット回線ＩＮへの接続が確立されていない状態で、装置本体２４の本体制御部３０がインターネット回線ＩＮへの通信処理を開始しようとする。この結果、装置本体２４の本体制御部３０は、通信処理を開始できず、幾度かリトライした後に設定値の初期化等の初期化処理を開始する。この初期化処理は、通常数分間以上かかるため、装置本体２４は通信処理を直ぐに開始することができない。これに対し、非常時に太陽電池Ｖ２の電力を、装置本体２４よりも中継通信装置１２Ａに先に供給させると、装置本体２４の本体制御部３０が通信処理を開始するときには、インターネット回線ＩＮへの接続が確立されているか否かは定かではないものの、少なくとも中継通信装置１２Ａが稼動しているので、上記リトライ回数が減り初期化処理の開始が抑制される。したがって、本第１実施形態によれば、装置本体２４の通信処理をより早く開始することができるようになる。
【００７２】
また、電力供給制御部３８は、図４に示すステップＳＰ２２において、ブロードバンドルータ１６への電力供給の後装置本体２４への電力供給の前に、ブロードバンドルータ１６がインターネット回線ＩＮへの接続を確立するまでの平均時間待機することになる。したがって、本体制御部３０のリトライ回数が減り初期化処理の開始が抑制される。したがって、本第１実施形態によれば、装置本体２４の通信処理をより早く開始させることができるようになる。
【００７３】
また、電力供給制御部３８は、装置本体２４への電力が非供給となる非常時に太陽電池Ｖ２の電力を、電源部４０に対し、ブロードバンドルータ１６よりもインターネット回線ＩＮ側上流の中継通信装置１２Ａであるモデム１８に先に供給させている。ここで、上記電力供給の順番を逆にすると、モデム１８が稼動していない状態で、装置本体２４の本体制御部３０がインターネット回線ＩＮへの接続を確立しようとする。この結果、ブロードバンドルータ１６は、インターネット回線ＩＮへの接続を開始できず、幾度かリトライした後に設定値の初期化等の初期化処理を開始する場合がある。この初期化処理は、通常数分間以上かかるため、ブロードバンドルータ１６はインターネット回線ＩＮへの接続確立を直ぐに開始することができない。これに対し、非常時に太陽電池Ｖ２の電力を、ブロードバンドルータ１６よりもモデム１８に先に供給させると、ブロードバンドルータ１６がインターネット回線ＩＮへの接続確立を開始するときには、モデム１８が稼動しているので、上記リトライ回数が減り初期化処理の開始が抑制される。したがって、本第１実施形態によれば、ブロードバンドルータ１６の通信処理、ひいては装置本体２４の通信処理をより早く開始することができるようになる。
【００７４】
また、電力供給制御部３８は、装置本体２４への電力が非供給となる非常時に、電力供給制御部３８は、本体制御部３０に対して報知部３６にアラーム音を発するよう制御させるので、例えば移動機１６Ａのユーザや周囲の人に商用電源が遮断されたことを認識させることができる。
【００７５】
（第２実施形態）
次に、本発明の第２実施形態に係る小型基地局装置として、フェムトセル基地局装置を一例に挙げて説明する。上記第１実施形態では、商用電源が遮断された場合、ユーザがモデム１８およびブロードバンドルータ１６の電源ケーブルを手動で差し替えて電源切り替えを行っていたが、本第２実施形態では、この電源切り替えを自動的に実行する電源切替えスイッチを設けた点で、上記第１実施形態と大きく異なる。
【００７６】
＜構成＞
図５は、本発明の第２実施形態に係るフェムトセル基地局装置１００を含む移動通信システムＳ２の構成を示す概略ブロック図である。移動通信システムＳ２は、サーバ８０と電源切替えスイッチ９０とフェムトセル基地局装置１００を備える他は、第１実施形態の構成と同様の構成である。同様の構成については、同一の符号を付すこととし、具体的な説明は省略する。
サーバ８０は、携帯電話のコアネットワークＣＮの一部を構成する大規模サーバ装置であり、保守員の指示に従ってフェムトセル基地局装置１００をリモートメンテナンスしたり、或いはフェムトセル基地局装置１００からの障害発生を示す警報を自動的に処理したりする。
【００７７】
電源切替えスイッチ９０は、第３電源入力端子９２と、第４電源入力端子９４と、第３電源出力端子９６と、第４電源出力端子９８とを有している。第３電源入力端子９２は、電源ケーブル２０Ｅ及び図示しないＡＣ／ＤＣアダプタを介して商用電源Ｖ１と接続されている。第４電源入力端子９４は、電源ケーブル２０Ｄを介してフェムトセル基地局装置１００の電源部１０２と接続されている。第３電源出力端子９６は、電源ケーブル２０Ｃを介してモデム１８と接続されている。第４電源出力端子９８は、電源ケーブル２０Ｂを介してブロードバンドルータ１６と接続されている。
【００７８】
フェムトセル基地局装置１００は、電源部４０の代わりに電源部１０２を有している他、第１実施形態のフェムトセル基地局装置１０と同様の構成を備えている。ただし、フェムトセル基地局装置１００の報知部３６は、アラーム音を発する他、電子メールを送信する機能を有している。また、電源部１０２は、電源部４０に比べて、第２電源出力端子５０を有しておらず、内部の回路が異なる。電源部１０２内部の回路については、電源切替えスイッチ９０内部の回路を説明した後に説明する。
【００７９】
図６（Ａ）は、電源切替えスイッチ９０内部の回路１０３の一例を示した概略回路図である。なお、電源切替えスイッチ９０内部の回路１０３には、コンデンサや他の電子部品が含まれてもよい。
【００８０】
図６（Ａ）に示すように、電源切替えスイッチ９０内部の回路１０３では、第３電源入力端子９２と、第４電源入力端子９４と、第３電源出力端子９６、第４電源出力端子９８と、が後述する各種スイッチにより互いに接続される。
【００８１】
回路１０３には、制御スイッチ１０６が設けられている。制御スイッチ１０６は、第３電源入力端子９２に接続された端子ａ５と、分岐点１０４に接続された端子ｂ５と、第４電源入力端子９６に接続された端子ｃ５を有している。この制御スイッチ１０６は、電力供給制御部３８からの制御信号ＣＴＲＬ７を受け付けて、分岐点１０４に接続するのを第３電源入力端子９２（端子ａ５と端子ｂ５が接続）か第４電源入力端子９４（端子ｃ５と端子ｂ５が接続）かに切替えるスイッチ動作を行う。これにより、分岐点１０４（後述する第３電源出力端子９６や第４電源出力端子９８）に供給する電力が、第３電源入力端子９２に接続された商用電源Ｖ１からの電力か、第４電源入力端子９４に接続された電源部１０２（太陽電池Ｖ２）からの電力かに切替えられる。
【００８２】
分岐点１０４には、第３電源出力端子９６と第４電源出力端子９８が接続されている。
【００８３】
分岐点１０４と第３電源出力端子９６との間には、制御スイッチ１０８が設けられている。制御スイッチ１０８は、第３電源出力端子９６に接続された端子ａ６と、分岐点１０４に接続された端子ｂ６と、他に非接続の端子ｃ６を有している。この制御スイッチ１０８は、電力供給制御部３８からの制御信号ＣＴＲＬ８を受け付けて、スイッチのオン（端子ａ６と端子ｂ６が接続）とオフ（端子ａ６と端子ｃ６が接続）が切替わり、第３電源出力端子９６に分岐点１０４を接続するか否かが切替えられる。これにより、第３電源出力端子９６に接続されるモデム１８に、電力を供給するか否かが切替えられる。
【００８４】
分岐点１０４と第４電源出力端子９８との間には、制御スイッチ１１０が設けられている。制御スイッチ１１０は、第４電源出力端子９８に接続された端子ａ７と、分岐点１０４に接続された端子ｂ７と、他に非接続の端子ｃ７を有している。この制御スイッチ１１０は、電力供給制御部３８からの制御信号ＣＴＲＬ８を受け付けて、スイッチのオン（端子ａ７と端子ｂ７が接続）とオフ（端子ａ７と端子ｃ７が接続）が切替わり、第４電源出力端子９８に分岐点１０４を接続するか否かが切替えられる。これにより、第４電源出力端子９８に接続されるブロードバンドルータ１６に、電力を供給するか否かが切替えられる。
【００８５】
図６（Ｂ）は、電源部１０２内部の回路１２０の一例を示した概略回路図である。
【００８６】
図６（Ｂ）に示すように、この回路１２０は、第１実施形態で説明した図２に示す回路６０に比べ、第２電源出力端子５０や制御スイッチ６８、近接センサ７０，７２が設けられていない他は、第１実施形態で説明した図２に示す回路６０と同様の構成を備えている。
【００８７】
なお、本第２実施形態に係る電源部１０２では、商用電源Ｖ１が供給される通常時には、電源オン／オフスイッチ４２がスイッチオン（端子ａ２と端子ｂ２が接続）され、制御スイッチ６６がスイッチオフ（端子ａ３と端子ｃ３が接続）され、制御スイッチ６２において装置本体２４に接続するのが第１電源入力端子４４にされている（端子ａ１と端子ｂ１が接続）。また、本第２実施形態に係る電源切替えスイッチ９０では、商用電源Ｖ１が供給される通常時には、制御スイッチ１０６において分岐点１０４に接続するのが第３電源入力端子９２にされている（端子ａ５と端子ｂ５が接続）。また、制御スイッチ１０８がスイッチオン（端子ａ６と端子ｂ６が接続）され、制御スイッチ１１０がスイッチオン（端子ａ７と端子ｂ７が接続）されている。これにより、通常時では、商用電源Ｖ１からの電力が、装置本体２４と中継通信装置１２Ａに供給されるようになっている。なお、図６（Ａ）及び図６（Ｂ）中では、通常時の各スイッチの端子接続状態を実線で示し、非常時の各スイッチの端子接続状態を点線で示している。
【００８８】
＜制御処理内容＞
次に、本第２実施形態に係る電力供給制御部３８の制御処理内容について説明する。図７は、電力供給制御部３８のメインルーチンのフローチャートを示す図である。なお、以下、括弧中の識別符号は、図７中のステップ識別符号と対応している。なお、このメインルーチンは、ソフトウェアによる処理として、実行プログラムをプロセッサで実行することにより行われてもよいし、ハードウェアによる処理として、上記ソフトウェア処理に代わる動作をする論理回路により行われてもよい。また、メインルーチンは、例えば１秒毎に開始される。ただし、前の制御が終わっていない場合は、その制御が終わるまで待機する。
【００８９】
まず、サブルーチンの処理について説明する。図３に示すように、サブルーチンの処理では、電力供給制御部３８は、電流検出センサ６１から商用電源Ｖ１が遮断された旨を示す検出信号を受信すると、以下のメインルーチン（ＳＰ３０〜ＳＰ４２）における処理を中断し、ステップＳＰ２の割り込み処理にジャンプしてステップＳＰ４の電源切り替え処理を実行する。ステップＳＰ４において、電力供給制御部３８は、商用電源停止を示すフラグを立てる。また、電力供給制御部３８は、制御スイッチ６２に制御信号ＣＴＲＬ１を出力して、商用電源Ｖ１側に投入されていた制御スイッチ６２を太陽電池Ｖ２に切り替える。この切り替え処理によって、分岐点６４を経由して電力供給制御部３８に供給される電力が商用電源Ｖ１から太陽電池Ｖ２及び蓄電池６３Ａからの電力に切り替えられる。分岐点６４には大容量コンデンサＣが設けられているので、制御スイッチ６２の切り替え時に瞬間的に電源供給が停止しても、電力供給部３８の動作は継続される。そして、ステップＳＰ６で復帰し、メインルーチンの処理が継続される。
【００９０】
次に、メインルーチンの処理について説明する。
【００９１】
（ＳＰ３０）電力供給制御部３８は、電力供給制御部３８は、商用電源停止を示すフラグが立っているか否かを判断して、商用電源Ｖ１からの電力が電源部１０２に供給されているか否かを判断する。そして、電力供給制御部３８は、商用電源Ｖ１からの電力が供給されていないと判断した場合（Ｙｅｓ）にはステップＳＰ３２に移行し、商用電源Ｖ１からの電力が供給されていると判断した場合（Ｎｏ）には一連の処理を終える。なお、以上のようなサブルーチンを経ず商用電源停止を示すフラグを立てない場合には、例えば電流検出センサ６１に対して、制御信号ＣＴＲＬ２を出力し、商用電源Ｖ１からの電力が電源部１０２に供給されていないか否かを検出させてもよい。
【００９２】
（ＳＰ３２）電力供給制御部３８は、本体制御部３０に対し、報知部３６にアラーム音を例えば２分間発するよう制御させる。このアラーム音を聞いた例えば移動機１６Ａのユーザは、商用電源Ｖ１の復旧を開始する。そして、電力供給制御部３８は、ステップＳＰ３４の処理に移行する。
【００９３】
（ＳＰ３４）電力供給制御部３８は、アラーム音を発してから例えば２分間後に、電力供給制御部３８は、商用電源停止を示すフラグが立っているか否かを判断して、商用電源Ｖ１からの電力が電源部１０２に供給されていないか否かを判断する。そして、電力供給制御部３８は、商用電源Ｖ１からの電力が供給されていないと判断した場合（Ｙｅｓ）にはステップＳＰ３２に移行し、商用電源Ｖ１からの電力が供給されていると判断した場合（Ｎｏ）には一連の処理を終える。
【００９４】
（ＳＰ３６）電力供給制御部３８は、電源オン／オフスイッチ４２に対して制御信号ＣＴＲＬ０を出力し、一旦スイッチオフさせる。この処理により、装置本体２４への電源供給が絶たれ、装置本体２４の動作は一旦中断される。ただし、装置本体２４が動作を初期状態からやり直すリセット信号を受け付け可能に構成されている場合には、電源オン／オフスイッチ４２をスイッチオフさせて装置本体２４への電源供給を一旦遮断させ後述するステップＳＰ４２において電源供給を再開させる代わりに、ステップＳ４２においてリセット信号を供給して装置本体２４の動作を初期化させるように処理してもよい。
同様に、電力供給制御部３８は、制御スイッチ１０８に対して制御信号ＣＴＲＬ８を出力し、一旦スイッチオフさせる。電力供給制御部３８は、制御スイッチ１１０に対して制御信号ＣＴＲＬ９を出力し、一旦スイッチオフさせる。
【００９５】
また、電力供給制御部３８は、電源部１０２の制御スイッチ６６に対して制御信号ＣＴＲＬ３を出力し、スイッチオンさせる。さらに、電力供給制御部３８は、電源切替えスイッチ９０の制御スイッチ１０６に対して制御信号ＣＴＲＬ７を出力し、分岐点１０４と第４電源入力端子９４とを接続させる。さらにまた、電力供給制御部３８は、電源部１０２の制御スイッチ１０８に対して制御信号ＣＴＲＬ８を出力し、スイッチオンさせる。そして、電力供給制御部３８は、制御スイッチ６２に対して制御信号ＣＴＲＬ１を出力し、分岐点６４と第２電源入力端子４６とを接続させる。これにより、電力供給制御部３８は、電源部４０に対して、装置本体２４やブロードバンドルータ１６よりも先に、インターネット回線ＩＮ側最上流のモデム１８に太陽電池Ｖ２の電力を供給させることになる。太陽電池Ｖ２の電力が供給されることにより、モデム１８は初期状態からの動作を開始し、下流側のブロードバンドルータ１６との通信に備えるようになる。そして、電力供給制御部３８は、ステップＳＰ３８の処理に移行する。
【００９６】
（ＳＰ３８）電力供給制御部３８は、電源切替えスイッチ９０の制御スイッチ１０８に対して制御信号ＣＴＲＬ９を出力し、スイッチオンさせる。これにより、電力供給制御部３８は、電源部４０に対して、装置本体２４よりも先に、インターネット回線ＩＮ側上流のブロードバンドルータ１６に太陽電池Ｖ２の電力を供給させることになる。太陽電池Ｖ２の電力が供給されることにより、ブロードバンドルータ１６は初期状態からの動作を開始し、既に動作しているモデム１８との通信を確立し、且つインターネット回線ＩＮとの接続を確立して、下流側の装置本体２４との通信に備えるようになる。そして、電力供給制御部３８は、ステップＳＰ４０の処理に移行する。
【００９７】
（ＳＰ４０）電力供給制御部３８は、電源オン／オフスイッチ４２に対して制御信号ＣＴＲＬ０を出力し、スイッチオンさせる。これにより、電力供給制御部３８は、電源部１０２に対して、装置本体２４に太陽電池Ｖ２の電力を供給させることになる。太陽電池Ｖ２の電力が供給されることにより、装置本体２４の本体制御部３０は初期状態からの通信処理を開始する。そして、電力供給制御部３８は、ステップＳＰ４２の処理に移行する。なお、装置本体２４がリセット信号を受け付け可能に構成されている場合には、太陽電池Ｖ２の電力供給を再開する代わりに、リセット信号を送信し、装置本体２４の動作を初期化させるように処理してもよい。
【００９８】
（ＳＰ４２）電力供給制御部３８は、本体制御部３０に対し、報知部３６に電子メールを例えば移動機１６Ａとサーバ８０を宛先として送信する。電子メールの内容は、例えばユーザや保守員に装置本体２４等に商用電源Ｖ１の電力が供給されておらず、代わりに装置本体２４等に太陽電池Ｖ２の電力が供給されている非常時である旨が記載される。そして、電力供給制御部３８は、一連の処理を終える。
【００９９】
＜効果＞
以上、本発明の第２実施形態に係るフェムトセル基地局装置１００によれば、第１実施形態と同様の効果が得られる他、電源切替えスイッチ９０が接続されているため、例えば移動機１６Ｂのユーザに、電源ケーブル２０Ｃや電源ケーブル２０Ｂを接続し直す手間を省くことができる。
【０１００】
また、本発明の第２実施形態では、報知部３６がアラーム音を発する他、例えば移動機１６Ａとサーバ８０を宛先とした電子メールを送信するので、特定の人に報知することができる。
【０１０１】
（第３実施形態）
次に、本発明の第３実施形態に係る中継通信装置として、ブロードバンドルータを一例に挙げて説明する。上記第１及び第２実施形態では、商用電源Ｖ１が遮断された場合に電源切り替え処理をする電源部４０，１０２及び太陽電池Ｖ２をフェムトセル基地局装置１０，１００に設けていたが、本第３実施形態では、この電源部及び太陽電池を本発明の中継通信装置であるブロードバンドルータに設けた点で、上記実施形態と大きく異なる。
【０１０２】
＜構成＞
図８は、本発明の第３実施形態に係るブロードバンドルータ２０２を含む移動通信システムＳ３の構成を示す概略ブロック図である。移動通信システムＳ３は、フェムトセル基地局装置２００とブロードバンドルータ２０２とを備える他は、第２実施形態の構成と同様の構成である。同様の構成については、同一の符号を付すこととし、具体的な説明は省略する。
フェムトセル基地局装置２００は、第１実施形態に比べ、太陽電池Ｖ２に接続された電源部４０や報知部３６、電力供給制御部３８を備えていない他は、第１実施形態と同様の構成を備えている。
【０１０３】
ブロードバンドルータ２０２は、装置本体２０４を備えている。装置本体２０４は、例えば本体制御部２０６と、ネットワーク制御部２０８と、通信ポート２１０と、通信ポート２１２と、報知部２１４で構成されている。装置本体２０４の各部２０６，２０８，２１０，２１４は、本体制御部３０、通信ポート３２、ネットワーク制御部３４、報知部３６と同様の機能を有する。ただし、本体制御部２０６は、本体制御部３０と異なり、インターネット回線ＩＮへの接続を確立する処理を行う。通信ポート２１２は、ローカルエリアネットワーク２２Ａを介してフェムトセル基地局装置２００と接続される。
【０１０４】
また、ブロードバンドルータ２０２は、装置本体２０４の他、電力供給制御部２１６と、電源部２１８と、太陽電池Ｖ２と、を有する。
【０１０５】
電力供給制御部２１６は、本体制御部２０６と電源部２１８に接続され、これら本体制御部２０６と電源部２１８の種々な制御処理を行う。本第３実施形態では、商用電源Ｖ１が遮断され装置本体２０４への電力が非供給となる非常時に、電源部２１８に対し、電源部２１８（太陽電池Ｖ２）の電力を、装置本体２０４と他の屋内装置１２（フェムトセル基地局装置２００とモデム１８）に供給させる。この電力供給制御部２１６は、例えばプログラムが記録された記憶資源とプロセッサ等を含む回路基板から構成されており、図示しない予備電源又は太陽電池Ｖ２から電力が供給され、非常時においても動作可能になっている。なお、電力供給制御部２１６の制御の詳細に関しては、後述する。
【０１０６】
電源部２１８は、商用電源Ｖ１の電力及び太陽電池Ｖ２の電力の少なくとも一方の電力を、内部電源ケーブル４１を介して装置本体２０４に供給し、且つ太陽電池Ｖ２の電力を他の屋内装置１２にも供給可能に構成されている。具体的に、本第３実施形態では、電源部２１８の外部（外壁）には、電源オン／オフスイッチ４２と、第１電源入力端子４４と、第２電源入力端子４６と、第１電源出力端子４８と、を含んで構成されている。
【０１０７】
第１電源入力端子４４は、電源ケーブル２０Ａ及びＡＣ／ＤＣアダプタ２１Ａを介して商用電源Ｖ１と接続されている。第２電源入力端子４６は、電源ケーブル５２を介して太陽電池Ｖ２と接続されている。第１電源出力端子４８は、電源ケーブル２０Ｄを介して電源切替えスイッチ９０と接続されている。
【０１０８】
電源部２１８内部の回路は、第２実施形態で説明した図６（Ｂ）に示す回路１２０と同様である。
【０１０９】
＜制御処理内容＞
次に、本第３実施形態に係る電力供給制御部２１６の制御処理内容について説明する。図９は、電力供給制御部２１６のメインルーチンのフローチャートを示す図である。なお、以下、括弧中の識別符号は、図９中のステップ識別符号と対応している。なお、この制御処理は、ソフトウェアによる処理として、実行プログラムをプロセッサで実行することにより行われてもよいし、ハードウェアによる処理として、上記ソフトウェア処理に代わる動作をする論理回路により行われてもよい。また、以下のメインルーチンは、例えば１秒毎に開始される。ただし、前の制御が終わっていない場合は、その制御が終わるまで待機する。
【０１１０】
まず、サブルーチンの処理について説明する。図３に示すように、サブルーチンの処理では、電力供給制御部２１６は、電流検出センサ６１から商用電源Ｖ１が遮断された旨を示す検出信号を受信すると、以下のメインルーチン（ＳＰ５０〜ＳＰ６０）における処理を中断し、ステップＳＰ２の割り込み処理にジャンプしてステップＳＰ４の電源切り替え処理を実行する。ステップＳＰ４において、電力供給制御部２１６は、商用電源停止を示すフラグを立てる。また、電力供給制御部２１６は、制御スイッチ６２に制御信号ＣＴＲＬ１を出力して、商用電源Ｖ１側に投入されていた制御スイッチ６２を太陽電池Ｖ２に切り替える。この切り替え処理によって、分岐点６４を経由して電力供給制御部２１６に供給される電力が商用電源Ｖ１から太陽電池Ｖ２及び蓄電池６３Ａからの電力に切り替えられる。分岐点６４には大容量コンデンサＣが設けられているので、制御スイッチ６２の切り替え時に瞬間的に電源供給が停止しても、電力供給部２１６の動作は継続される。そして、ステップＳＰ６で復帰し、メインルーチンの処理が継続される。
【０１１１】
次に、メインルーチンの処理について説明する。
【０１１２】
（ＳＰ５０）電力供給制御部２１６は、商用電源停止を示すフラグが立っているか否かを判断して、商用電源Ｖ１からの電力が電源部２１８に供給されているか否かを判断する。そして、電力供給制御部２１６は、商用電源Ｖ１からの電力が供給されていないと判断した場合（Ｙｅｓ）にはステップＳＰ１２に移行し、商用電源Ｖ１からの電力が供給されていると判断した場合（Ｎｏ）には一連の処理を終える。なお、以上のようなサブルーチンを経ず商用電源停止を示すフラグを立てない場合には、例えば電流検出センサ６１に対して、制御信号ＣＴＲＬ２を出力し、商用電源Ｖ１からの電力が電源部２１８に供給されていないか否かを検出させてもよい。
【０１１３】
（ＳＰ５２）電力供給制御部２１６は、電源部２１８の電源オン／オフスイッチ４２に対して制御信号ＣＴＲＬ０を出力し、一旦スイッチオフさせる。この処理により、装置本体２０４への電源供給が絶たれ、装置本体２０４の動作は一旦中断される。ただし、装置本体２０４が動作を初期状態からやり直すリセット信号を受け付け可能に構成されている場合には、電源オン／オフスイッチ４２をスイッチオフさせて装置本体２０４への電源供給を一旦遮断させ後述するステップＳＰ５４において電源供給を再開させる代わりに、ステップＳ５４においてリセット信号を供給して装置本体２０４の動作を初期化させるように処理してもよい。
同様に、電力供給制御部２１６は、制御スイッチ１０８に対して制御信号ＣＴＲＬ８を出力し、一旦スイッチオフさせる。電力供給制御部３８は、制御スイッチ１１０に対して制御信号ＣＴＲＬ９を出力し、一旦スイッチオフさせる。
【０１１４】
また、電力供給制御部２１６は、電源部２１８の制御スイッチ６６に対して制御信号ＣＴＲＬ３を出力し、スイッチオンさせる。さらに、電力供給制御部２１６は、電源切替えスイッチ９０の制御スイッチ１０６に対して制御信号ＣＴＲＬ７を出力し、分岐点１０４と第４電源入力端子９４とを接続させる。さらにまた、電力供給制御部２１６は、電源部１０２の制御スイッチ１０８に対して制御信号ＣＴＲＬ８を出力し、スイッチオンさせる。そして、電力供給制御部２１６は、制御スイッチ６２に対して制御信号ＣＴＲＬ１を出力し、分岐点６４と第２電源入力端子４６とを接続させる。これにより、電力供給制御部２１６は、電源部２１８に対して、フェムトセル基地局装置２００やブロードバンドルータ２０２の装置本体２０４よりも先に、インターネット回線ＩＮ側最上流のモデム１８に太陽電池Ｖ２の電力を供給させることになる。太陽電池Ｖ２の電力が供給されることにより、モデム１８は初期状態からの動作を開始し、下流側のブロードバンドルータ１６との通信に備えるようになる。そして、電力供給制御部２１６は、ステップＳＰ５４の処理に移行する。
【０１１５】
（ＳＰ５４）電力供給制御部２１６は、電源オン／オフスイッチ４２に対して制御信号ＣＴＲＬ０を出力し、スイッチオンさせる。これにより、電力供給制御部２１６は、電源部２１８に対して、フェムトセル基地局装置２００よりもインターネット回線ＩＮ側上流のブロードバンドルータ２０２の装置本体２０４に先に太陽電池Ｖ２の電力を供給させることになる。太陽電池Ｖ２の電力が供給されることにより、ブロードバンドルータ２０２は初期状態からの動作を開始し、既に動作しているモデム１８との通信を確立し、且つインターネット回線ＩＮとの接続を確立して、下流側のフェムトセル基地局装置２８との通信に備えるようになる。そして、電力供給制御部２１６は、ステップＳＰ５６の処理に移行する。
【０１１６】
（ＳＰ５６）電力供給制御部２１６は、本体制御部２０６に問い合わせて本体制御部２０６によるインターネット回線ＩＮの接続確立が完了したか否か判断する。電力供給制御部２１６は、肯定判断した場合（Ｙｅｓ）にはステップＳＰ５８の処理に移行し、否定判断した場合（Ｎｏ）には例えば１０秒間等一定間隔を経た後ステップＳＰ５６の処理に戻る。
【０１１７】
（ＳＰ５８）電力供給制御部２１６は、電源切替えスイッチ９０の制御スイッチ１０８に対して制御信号ＣＴＲＬ９を出力し、スイッチオンさせる。これにより、電力供給制御部２１６は、電源部２１８に対して、フェムトセル基地局装置２００に太陽電池Ｖ２の電力を供給させることになる。太陽電池Ｖ２の電力が供給されることにより、フェムトセル基地局装置２００は初期状態からの通信処理を開始する。なお、装置本体２４がリセット信号を受け付け可能に構成されている場合には、太陽電池Ｖ２の電力供給を再開する代わりに、リセット信号を送信し、装置本体２０４の動作を初期化させるように処理してもよい。そして、電力供給制御部２１６は、ステップＳＰ６０の処理に移行する。
【０１１８】
（ＳＰ６０）電力供給制御部２１６は、本体制御部２０６に対し、報知部２１４に電子メールを例えば移動機１６Ａとサーバ８０を宛先として送信する。電子メールの内容は、例えばユーザや保守員に装置本体２０４等に商用電源Ｖ１の電力が供給されておらず、代わりに装置本体２０４等に太陽電池Ｖ２の電力が供給されている非常時である旨が記載される。そして、電力供給制御部２１６は、一連の処理を終える。
【０１１９】
＜効果＞
以上、本発明の第３実施形態に係るブロードバンドルータ２０２によれば、第２実施形態と同様の効果が得られる他、インターネット回線ＩＮへの接続確立が完了した後に、フェムトセル基地局装置２００に電力が供給される。このため、フェムトセル基地局装置２００が通信処理を開始するときには、インターネット回線ＩＮへの接続が確立されているので、通信開始を試みるリトライ回数がなくなり、初期化処理の開始もなくなる。したがって、本第３実施形態によれば、フェムトセル基地局装置２００の通信処理をより早く開始することができるようになる。
【０１２０】
＜変形例＞
以上、本願の開示する技術の複数の実施形態について説明したが、本願の開示する技術は、上記に限定されるものではない。
【０１２１】
例えば、第２電源入力端子４６に接続されるものは、太陽電池Ｖ２に限られず、ハンドルを回して発電する人力発電装置等他の発電装置であってもよい。また、例えば人力発電装置と太陽電池Ｖ２の両方といった複数の発電装置が接続されてもよい。
【０１２２】
また、第１実施形態で説明した図４に示すステップＳＰ２２における電力供給制御部３８の待機は、第２実施形態で説明した図７のように、省略することができる。また、第１実施形態で説明した図４に示すステップＳＰ２６における商用電源Ｖ１が復旧した場合の装置本体２４への電力供給は、第２実施形態で説明した図７のように、省略することができる。逆に、第２実施形態で説明した図７に示すフローチャートに、第１実施形態で説明した図４に示すステップＳＰ２２，２６を追加することもできる。また、第１実施形態で説明した図４に示すステップＳＰ１２におけるアラーム音の発生や、ステップＳＰ１４における電力供給制御部３８の待機や、ステップＳＰ１６における電源ケーブル２０Ｃと電源ケーブル２０Ｂの接続確認等も省略することができる。
【０１２３】
また、ブロードバンドルータ１６にモデム１８の機能を備えていれば、モデム１８は省略することができる。また、この場合、電源切替えスイッチ９０もブロードバンドルータ１６に追加してもよい。
【０１２４】
また、報知部３６，２１４は、アラーム音を発したり電子メールを送信したりする場合を説明したが、警告灯を光らせたり、臭いを発したり、電話連絡したりしてもよい。また、報知部３６，２１４は、アラーム音を発し且つ警告灯を光らしたり、臭いを発し且つ電話連絡したり等、２つ以上の機能を組み合わせてもよい。
【０１２５】
また、通信システムＳ１は、フェムトセル基地局装置１０の代わりに、ナノセル基地局装置を有してもよい。
【０１２６】
また、電源部４０は、太陽電池Ｖ２の電力を、ブロードバンドルータ１６やモデム１８以外の他の屋内装置１２に供給可能に構成されてもよい。電源部４０は、例えば、移動機１６Ａやランプ、ラジオ等に供給可能に構成されてもよい。また非常時以外でも、電源部４０は、太陽電池Ｖ２の電力を、装置本体２４の全部又は一部に供給可能に構成されてもよい。さらに、図１では、太陽電池Ｖ２は、フェムトセル基地局装置１０の筐体の外側に設置しているように記載したが、フェムトセル基地局装置１０の筐体に取り付けられてもよい。
【０１２７】
また、第３実施形態において本発明に係る中継通信装置は、ブロードバンドルータ２０２である場合を説明したが、モデム１８であってもよい。
【０１２８】
また、電力供給制御部３８は、省略することもできる。この場合、図２に示すような制御スイッチ６２，６６，６８が手動でスイッチオンとスイッチオフを切替え可能に構成されていることが好ましい。
【０１２９】
また、制御スイッチ６６，６８を省略することもできる。さらに、電力の供給順序は、モデム１８、ブロードバンドルータ１６、フェムトセル基地局装置１０の順である場合を説明したが、特に限定されない。例えば電力の供給順序は、ブロードバンドルータ１６、モデム１８、フェムトセル基地局装置１０の順であってもよく、全て同時であってもよい。
【０１３０】
また、近接センサ７０，７２は省略することもできる。
【符号の説明】
【０１３１】
１０，１００，２００…フェムトセル基地局装置（小型基地局装置）
１２Ａ…中継通信装置
１６，２０２…ブロードバンドルータ（中継通信装置）
１８…モデム（中継通信装置）
２４，２０４…装置本体
３６，２１４…報知部
３８，２１６…電力供給制御部
４０，１０２，２１８…電源部
Ｖ１…商用電源
Ｖ２…太陽電池（発電装置）
ＣＮ…コアネットワーク（広域ネットワーク）
ＩＮ…インターネット回線（広域ネットワーク）
【要約】
【課題】商用電源が遮断された場合であっても小型基地局装置の通信遮断を抑制する。
【解決手段】中継通信装置（１２Ａ）を介して移動機（１６Ａ）を広域ネットワーク（ＣＮ）に接続する小型基地局装置（１０）が、装置本体（２４）と、電力を発生する発電装置（Ｖ２）と、商用電源（Ｖ１）の電力及び発電装置（Ｖ２）の電力の少なくとも一方の電力を装置本体（２４）と小型基地局装置（１０）の中継通信装置（１２Ａ）とに供給可能に構成された電源部（４０）と、を有する。
【選択図】図１【図１】
0005539563.tif 000002
【図２】
0005539563.tif 000003
【図３】
0005539563.tif 000004
【図４】
0005539563.tif 000005
【図５】
0005539563.tif 000006
【図６】
0005539563.tif 000007
【図７】
0005539563.tif 000008
【図８】
0005539563.tif 000009
【図９】
0005539563.tif 000010